(57)【要約】      （修正有）【課題】スマートフォンなど携帯無線機器および家の中にある様々な電磁波発生機器からから放射される電磁波を吸収し、癒し効果とクリーナー効果を兼ね備えた後付けパッドを提供する。【解決手段】電磁波発生機器に直接貼りつける後付けパッド１において、パッドを構成する内部に電磁波吸収吸着ウレタンを組み込ませることで、より強力なマイクロ波被害に対応した後付けタイプのパッド１とする。該後付けタイプのパッドは、大きさを自由に変えることが容易でありあらゆる大きさの機器に対応できる。さらに、後付けパッドの外装部材にクリーナー機能付き布２にイラストや写真３を印刷したものを用い癒し効果とクリーナー機能効果をもたせても良い。【選択図】図１
0003173209.tif 000002
【実用新案登録請求の範囲】
【請求項１】
電磁波遮蔽特性を有するパッド本体の裏面にスマートフォン、パソコン、テレビなどのディスプレイ、電子レンジの扉などあらゆる電磁波発生機器の表面への貼り付けが出来、繰り返し接着が可能な貼着部材が設けられていることを特徴とする電磁波遮蔽特性素材を内蔵した吸着型後付けパッド。
【請求項２】
前記貼着部材には粘着剤が用いられていることを特徴とする請求項１記載の電磁波遮蔽特性素材を内蔵した吸着型後付けパッド。
【請求項３】
前記貼着部材において、スマートフォンや携帯電話などの通話を目的とする機器に対応する受話部と音孔部に対応する位置には開口部が設けられていることを特徴とする請求項１記載の電磁波遮蔽特性素材を内蔵した吸着型後付けパッド。
【請求項４】
前記パッド本体は、内部に電磁波遮蔽素材の金属、炭などを練り込んだウレタンを入れたことを特徴とする請求項１記載の電磁波遮蔽特性素材を内蔵した吸着型後付けパッド。
【請求項５】
前記パッド本体は、電磁波発生機器のディスプレイや電子レンジ扉部分などを拭くことを目的としたクリーナーとしての機能を備えた素材の布で表面を覆われていることを特徴とする請求項１記載の電磁波遮蔽特性素材を内蔵した吸着型後付けパッド。
【考案の詳細な説明】
【技術分野】
【０００１】
スマートフォンやアンドロイドなど携帯用無線通信機器やテレビ、パーソナルコンピューターディスプレイ、電子レンジの蓋部分の保護、及びクリーニングを目的とする後付けパッド。さらに詳細には携帯用無線通信機器やテレビ、パソコン、電子レンジの蓋部分などから放射される電磁波吸着機能をそなえた後付けパッドに関するものである。
【背景技術】
【０００２】
近年、無線通信の発達に伴い無線通信機器の開発・普及はすざまじく、特にスマートフォンやアンドロイドに代表される携帯用無線通信機器の普及はめざましいものがある。
そしてこれらの携帯機器を収納するケースも開発されており、主にシールド部材のみである。
また、家の中においても、電子レンジをはじめＩＨクッキングヒーター、食器洗浄機、パーソナルコンピューターなど電磁波対策がされている。
【先行技術文献】
【特許文献】
【０００３】
【特許文献１】特開平１０−５１５３０
【考案の概要】
【考案が解決しようとする課題】
【０００４】
スマートフォンとは通話が出来る小型のパーソナルコンピュータであり、従来型の携帯電話より大量の電磁波は発生しているのにもかかわらず、シールド部材のみで形成されており、問題のマイクロ波対策に問題がある。
【０００５】
従来の携帯用無線通信機器を収納するケースにおいては以下のような問題点がある。
使用者の頭部または接近させて使用される携帯用通信機器から外部に放射される電磁波が使用者の頭部へ悪影響を与える恐れがあるという問題がある。
【０００６】
携帯電話通話中に熱が発生し、健康被害が及ぶ可能性もあるが、その熱に対する保護手段が講じられていない問題がある。
【０００７】
電子レンジ、パーソナルコンピューター、テレビ、電子調理器具など家電から放射される電磁波が人体に悪影響があるといわれている問題。
さらには電子レンジの扉から漏れる電磁波やテレビ、パソコンディスプレイなどからの電磁波対策が講じられていない問題。
【０００８】
最近の研究などから、電磁波の影響について携帯電話やスマートフォン使用に伴う注意が必要なことや、携帯電話やスマートフォンを所持する際、それらの機器から出ている電磁波の健康被害が全身の及ぶ可能性も指摘されている問題がある。
とくに子供に与える電磁波被害の悪影響についての研究もあるが子供を守る対策がとられていない問題。
また妊娠中の赤ちゃんに与える可能性のある健康被害では先天性異常や流早産、また男性の睾丸に影響を及ぼし精子減少や乳がんなどの発症の可能性が高いといわれている問題を解決するための手段が講じられていない問題。
またペースメーカー使用者は電磁波被害を受けやすく携帯電話使用にともなう注意や所持する時の注意が必要なこと、また台所作業中の機器から出ている電磁波対策がとられていない問題。
【０００９】
電磁波健康被害の中にいらいらなど精神的なものがあるという研究データもあるが
その対策がとられていない問題。
【００１０】
スマートフォンやパソコンなどのディスプレイの汚れをふき取ることに適した布を
近くに所持することが困難な問題。
また、スマートフォンやパソコンなどのディスプレイは破損しやすいという問題。
【課題を解決するための手段】
【００１１】
上記課題を解決するために、本考案は下記の手段を採用する。
電磁波吸着吸収素材のウレタンを内蔵した、後付けパッドをつくる携帯電話に装着することで電磁波を吸収吸着させ様々な機器から発せられる電磁波被害を少なくおさえることができる。
【００１２】
後付けパッドのサイズは自由に作ることが出来るもので、機器の大きさにあわせて
簡単に作ることができ、今後開発されるいろいろな電磁波発生の機器に対応できる。
【００１３】
裏面に設けられる貼着部材には繰り返し接着が可能な粘着剤を用いることでディスプレイやガラス面など何度でも取り外すことが可能になり、簡単な作業で機器から発生する電磁波被害を軽減することができる。
【００１４】
後付けパッドの表面はクリーナーの要素を備えた素材の布製にすることで、さらにその利便性を追求することができる。
さらには、後付けパッド表面に芸術性のあるイラストや子供の喜ぶイラストなどを印刷する。
さらには、後付けパッドを携帯無線通信機器に貼ることで、機器表面を保護する効果も得られる。
【考案の効果】
【００１５】
スマートフォンなど無線通信機器を頭部に接触または接近させて使用しても、本考案に係る後付けパッドを機器に張り付けた状態で使用し、機器と耳の間に入れて使用することで機器から放射される電磁波、とくに危険なマイクロ波や熱から頭部への悪影響を低減できる。
さらには、上記の使用法により携行する時に、無線通信機器から常時発生する電磁波を吸収吸着させ人体への悪影響をも低減させることができる。
【００１６】
特に台所での作業中に電磁波健康被害を低減することが出来、妊娠中の赤ちゃんに与える影響やペースメーカー使用者の健康被害を低減することができる。
【００１７】
後付けパッドで部屋のインテリアとして住空間を演出し癒し効果が期待できる。
また、無線通信機器用後付けパッドに関しても様々なイラストを印刷することで子供から大人に至るまで癒し効果を得ることができる。
【図面の簡単な説明】
【００１８】
【図１】本考案後付けパッドの斜視図である
【図２】本考案後付けパッドスマートフォンなど携帯無線機器用裏面貼着部の図である
【図３】粘着剤つき貼着部材シールの図である
【図４】本考案後付けパッドの側断面図である
【考案を実施するための形態】
【００１９】
後付けパッドにおいて、電磁波吸収吸着素材を内蔵し、表面部はクリーナー機能をもった布素材で作る。
表面部の布に関し、用途に応じたイラストや写真などを印刷する。
裏面には繰り返し接着が可能な粘着剤つき貼着部材をセットする。
【実施例】
【００２０】
本考案の実施の形体について実施例に基づいて説明する。
図１は本考案後付けパッドをななめ上から見た斜視図であり、図２はスマートフォンなど携帯無線機器用裏面にとりつけられた貼着部材の開口部の図である。
【００２１】
図３は本体を垂直に切った内部構造である。
本考案の後付けパッド形状は大きさを変えることでスマートフォン、一般携帯電話などすべての携帯無線通信機器、さらには、テレビ、パソコン、電子レンジなど電磁波を発生させるあらゆる機器に該当するものである。
【００２２】
図１を参照して、１に該当する本考案後付けパッド、２の表面部分は部位クリーニング機能をもつ布製とし、表面上部には、図１の３を参照して写真やイラストを印刷し制作する。
【００２３】
図２を参照して、スマートフォンなどの後付けパッド裏面に粘着剤つき貼着部材をセットする。
【００２４】
図３を参照して携帯通信機器において受話部と音孔部に対応する、６の開口部を作り通話に支障が出ないようにする。
【００２５】
図４を参照して、２の表面布で覆われた内部に、４の電磁波吸収吸着ウレタンをセットし、裏面部に５の粘着剤つき貼着部材シールを貼ることで、電磁波を発生させる様々な機器に直接貼ることが可能になり、その効果でマイクロ波や機器から発生する電磁波を減少させることが出来る。
【００２６】
携帯無線通信機器においては、機器から発生するマイクロ波や熱から頭部、首、肩から全身に至るまで電磁波被害を少なくおさえることが出来る。
１の後付けパッドと、５の粘着剤つき貼着部材を部品として本体に別途でセットし作ってもよい。
【符号の説明】
【００２７】
１  後付けパッド本体
２  クリーナー機能つき布
３  印刷したイラストや写真など
４  電磁波吸収吸着ウレタン
５  粘着剤つき貼着部材シール
６  受話部と音孔部に対応する開口部
【図１】
0003173209.tif 000003
【図２】
0003173209.tif 000004
【図３】
0003173209.tif 000005
【図４】
0003173209.tif 000006